(57)【要約】【課題】満水状態の露受容器を、水がこぼれないように取り外すことができる加熱調理器を提供する。【解決手段】露受容器９の底面９ａと、本体ケーシング１の設置面１ａとは、略同じ高さに位置する。これにより、露受容器９内に溜まった水を捨てる場合、露受容器９内が満水になっていても、露受容器９を、台面をすべらせながら前方へ引き抜くことができて、水がこぼれないように露受容器９を取り外すことができる。【選択図】図３
2014009856.tif 000002
【特許請求の範囲】
【請求項１】
本体ケーシングと、
上記本体ケーシング内に配置されると共に、蒸気を発生する蒸気発生装置と、
上記本体ケーシング内に配置されると共に、上記蒸気発生装置から供給される蒸気によって被加熱物を加熱するための加熱室と、
上記本体ケーシングの前方に配置されると共に、上記加熱室の開口部を開閉する扉と、
上記加熱室の上記開口部の縁の下方に配置されると共に、上記加熱室で発生する結露水を受け、かつ、被保持部を有する露受容器と、
上記本体ケーシングの下側に設けられると共に、上記露受容器の上記被保持部を着脱可能に保持する保持部材と
を備え、
上記露受容器の底面と、上記本体ケーシングの設置面とは、略同じ高さに位置することを特徴とする加熱調理器。
【請求項２】
請求項１に記載の加熱調理器において、
上記被保持部は、幅方向の両側に、第１側面および第２側面を有し、
上記保持部材は、上記被保持部の上記第１側面および上記第２側面を挟み込む挟み部を有し、
上記被保持部の上記第１側面および上記第２側面の少なくとも一方は、上記第１側面と上記第２側面との間の間隔が、上記被保持部を上記挟み部に挿入する方向へ、次第に狭くなるように、テーパ状に形成されていることを特徴とする加熱調理器。
【請求項３】
請求項２に記載の加熱調理器において、
上記被保持部の上記第１側面は、テーパ状に形成され、
上記被保持部の上記第２側面は、上記被保持部の上記挟み部への挿入方向に対して、平行となるように形成されていることを特徴とする加熱調理器。
【請求項４】
請求項１から３の何れか一つに記載の加熱調理器において、
上記露受容器は、前方から見て、
右側に配置された第１の上記被保持部と、
左側に配置された第２の上記被保持部と
を有し、
上記保持部材は、
上記第１の被保持部を挟み込む第１の上記挟み部と、
上記第２の被保持部を挟み込む第２の上記挟み部と
を有し、
上記第１の挟み部の上記第１の被保持部に対する挟持力と、上記第２の挟み部の上記第２の被保持部に対する挟持力とは、互いに異なることを特徴とする加熱調理器。
【請求項５】
請求項４に記載の加熱調理器において、
上記第１の挟み部の上記第１の被保持部に対する挟持力は、上記第２の挟み部の上記第２の被保持部に対する挟持力よりも、大きいことを特徴とする加熱調理器。
【請求項６】
請求項１から３の何れか一つに記載の加熱調理器において、
上記露受容器は、前方から見て、
右側に配置された第１の上記被保持部と、
左側に配置された第２の上記被保持部と
を有し、
上記保持部材は、
上記第１の被保持部を挟み込む第１の上記挟み部と、
上記第２の被保持部を挟み込む第２の上記挟み部と
を有し、
上記第１の挟み部と上記第２の挟み部とは、前後方向、同一位置にあり、
上記第１の被保持部と上記第２の被保持部とは、前後方向、異なる位置にあることを特徴とする加熱調理器。
【請求項７】
請求項６に記載の加熱調理器において、
上記第１の被保持部は、上記第２の被保持部よりも、前方に位置することを特徴とする加熱調理器。
【請求項８】
請求項６に記載の加熱調理器において、
上記露受容器は、左右の両側に、結露水を溜める貯留部を有し、
左右の一方の上記貯留部は、結露水を排水するための排水口に面し、
上記第１の被保持部および上記第２の被保持部のうちの上記排水口に面する上記貯留部側の一方は、上記第１の被保持部および上記第２の被保持部のうちの他方よりも、後方に位置することを特徴とする加熱調理器。
【請求項９】
請求項１から８の何れか一つに記載の加熱調理器において、
上記露受容器は、左右の両側に、結露水を溜める貯留部を有し、
この左右両側の貯留部の間に、仕切板を設けていることを特徴とする加熱調理器。
【発明の詳細な説明】
【技術分野】
【０００１】
この発明は、加熱室内に結露が生じる加熱調理器に関する。
【背景技術】
【０００２】
従来、加熱調理器としては、実開平５−４２９０４号公報（特許文献１）に開示されたものがある。この加熱調理器は、本体ケーシング内に蒸気発生装置および加熱室を設け、加熱室の開口部を扉で開閉し、この開口部の縁の下方に露受容器を設けている。
【０００３】
そして、加熱調理の際に、加熱室および扉の内面に付着していた結露水を、この露受容器で受けて、水滴が床に落下するのを防止するようにしている。
【先行技術文献】
【特許文献】
【０００４】
【特許文献１】実開平５−４２９０４号公報
【発明の概要】
【発明が解決しようとする課題】
【０００５】
ところが、上記従来の加熱調理器では、上記露受容器内が満水になった場合、満水状態の露受容器を本体ケーシングから引き抜く際に、露受容器が、上下に傾いたり、あるいは、台面に落下して衝撃が与えられると、露受容器内の水がこぼれるという問題があった。
【０００６】
そこで、この発明の課題は、露受容器が、上下に傾いたり、落下したりすることがなくて、露受容器を、水がこぼれないように取り外すことができる加熱調理器を提供することにある。
【課題を解決するための手段】
【０００７】
上記課題を解決するため、この発明の加熱調理器は、
本体ケーシングと、
上記本体ケーシング内に配置されると共に、蒸気を発生する蒸気発生装置と、
上記本体ケーシング内に配置されると共に、上記蒸気発生装置から供給される蒸気によって被加熱物を加熱するための加熱室と、
上記本体ケーシングの前方に配置されると共に、上記加熱室の開口部を開閉する扉と、
上記加熱室の上記開口部の縁の下方に配置されると共に、上記加熱室で発生する結露水を受け、かつ、被保持部を有する露受容器と、
上記本体ケーシングの下側に設けられると共に、上記露受容器の上記被保持部を着脱可能に保持する保持部材と
を備え、
上記露受容器の底面と、上記本体ケーシングの設置面とは、略同じ高さに位置することを特徴としている。
【０００８】
この発明の加熱調理器によれば、上記露受容器を上記本体ケーシングから取り外すとき、露受容器の底面と本体ケーシングの設置面とは、略同じ高さに位置するので、露受容器を、台面をすべらせながら取り外すことができる。
【０００９】
これにより、上記露受容器内に溜まった水を捨てるために、露受容器を本体ケーシングから引き抜く際に、露受容器が、上下に傾いたり、あるいは、台面に落下することがなく、露受容器内が満水になっていても、水がこぼれないように露受容器を取り外すことができる。
【００１０】
また、一実施形態の加熱調理器では、
上記被保持部は、幅方向の両側に、第１側面および第２側面を有し、
上記保持部材は、上記被保持部の上記第１側面および上記第２側面を挟み込む挟み部を有し、
上記被保持部の上記第１側面および上記第２側面の少なくとも一方は、上記第１側面と上記第２側面との間の間隔が、上記被保持部を上記挟み部に挿入する方向へ、次第に狭くなるように、テーパ状に形成されている。
【００１１】
この実施形態の加熱調理器によれば、上記被保持部の上記第１側面および上記第２側面の少なくとも一方は、第１側面と第２側面との間の間隔が、被保持部の挟み部への挿入方向へ、次第に狭くなるように、テーパ状に形成されている。
【００１２】
そのため、上記被保持部を上記挟み部から取り外す際に、挟み部は、次第に間隔が狭くなる第１側面および第２側面に摺動しながら、縮小する。これにより、被保持部が挟み部から外れる瞬間の反動が、低減される。また、被保持部を挟み部に挿入する際に、スムーズに挿入できる。
【００１３】
したがって、上記露受容器を上記保持部材から取り外す瞬間の反動を低減して、この反動による水のこぼれを防止できる。
【００１４】
また、一実施形態の加熱調理器では、
上記被保持部の上記第１側面は、テーパ状に形成され、
上記被保持部の上記第２側面は、上記被保持部の上記挟み部への挿入方向に対して、平行となるように形成されている。
【００１５】
この実施形態の加熱調理器によれば、上記被保持部の上記第２側面は、被保持部の挟み部への挿入方向に対して、平行となるように形成されている。
【００１６】
これによって、上記露受容器を上記保持部材から取り外す際に、挟み部は、第２側面に摺動する。したがって、露受容器を保持部材から取り外す際に、露受容器が左右に振れることがなく真っ直ぐ引き抜かれて、露受容器からの水のこぼれを防止できる。
【００１７】
また、一実施形態の加熱調理器では、
上記露受容器は、前方から見て、
右側に配置された第１の上記被保持部と、
左側に配置された第２の上記被保持部と
を有し、
上記保持部材は、
上記第１の被保持部を挟み込む第１の上記挟み部と、
上記第２の被保持部を挟み込む第２の上記挟み部と
を有し、
上記第１の挟み部の上記第１の被保持部に対する挟持力と、上記第２の挟み部の上記第２の被保持部に対する挟持力とは、互いに異なる。
【００１８】
ここで、「左右」とは、加熱調理器を扉側から見た正面視の左右をいう。
【００１９】
この実施形態の加熱調理器によれば、上記第１の挟み部の上記第１の被保持部に対する挟持力と、上記第２の挟み部の上記第２の被保持部に対する挟持力とは、互いに異なる。
【００２０】
これによって、上記露受容器を上記保持部材から取り外す際に、露受容器を一気に引き抜いても、第１の被保持部と第２の被保持部とが同時に外れることを防止できる。したがって、一気に引き抜いた際に生じる反動を低減して、この反動による水のこぼれを防止できる。
【００２１】
また、一実施形態の加熱調理器では、上記第１の挟み部の上記第１の被保持部に対する挟持力は、上記第２の挟み部の上記第２の被保持部に対する挟持力よりも、大きい。
【００２２】
この実施形態の加熱調理器によれば、上記第１の挟み部の上記第１の被保持部に対する挟持力は、上記第２の挟み部の上記第２の被保持部に対する挟持力よりも、大きいので、右側の挟持力が左側の挟持力よりも大きくなる。そのため、右の力が強く、かつ、数が多い右利きのユーザの場合、露受容器を前後に傾けないで平行に、スムーズに取り外すことができる。
【００２３】
また、一実施形態の加熱調理器では、
上記露受容器は、前方から見て、
右側に配置された第１の上記被保持部と、
左側に配置された第２の上記被保持部と
を有し、
上記保持部材は、
上記第１の被保持部を挟み込む第１の上記挟み部と、
上記第２の被保持部を挟み込む第２の上記挟み部と
を有し、
上記第１の挟み部と上記第２の挟み部とは、前後方向、同一位置にあり、
上記第１の被保持部と上記第２の被保持部とは、前後方向、異なる位置にある。
【００２４】
ここで、「左右」とは、加熱調理器を扉側から見た正面視の左右をいう。
【００２５】
この実施形態の加熱調理器によれば、上記第１の挟み部と上記第２の挟み部とは、前後方向、同一位置にあり、上記第１の被保持部と上記第２の被保持部とは、前後方向、異なる位置にある。
【００２６】
これによって、上記露受容器を上記保持部材から取り外す際に、露受容器を一気に引き抜いても、第１の被保持部と第２の被保持部とが同時に外れることを防止できる。したがって、一気に引き抜いた際に生じる反動を低減して、この反動による水のこぼれを防止できる。
【００２７】
また、一実施形態の加熱調理器では、上記第１の被保持部は、上記第２の被保持部よりも、前方に位置する。
【００２８】
この実施形態の加熱調理器によれば、上記第１の被保持部は、上記第２の被保持部よりも、前方に位置するので、右側の第１の被保持部を左側の第２の被保持部よりも先に外すことができる。そのため、右の力が強く、かつ、数が多い右利きのユーザの場合、右側の第１の被保持部から確実に引き抜くことができて、露受容器を一気に引き抜くことを防止できる。
【００２９】
また、一実施形態の加熱調理器では、
上記露受容器は、左右の両側に、結露水を溜める貯留部を有し、
左右の一方の上記貯留部は、結露水を排水するための排水口に面し、
上記第１の被保持部および上記第２の被保持部のうちの上記排水口に面する上記貯留部側の一方は、上記第１の被保持部および上記第２の被保持部のうちの他方よりも、後方に位置する。
【００３０】
この実施形態の加熱調理器によれば、上記第１の被保持部および上記第２の被保持部のうちの上記排水口に面する上記貯留部側の一方は、上記第１の被保持部および上記第２の被保持部のうちの他方よりも、後方に位置する。これによって、一方の被保持部を他方の被保持部よりも後に外すことができ、排水口に面するより多くの結露水が溜まった貯留部側を後に取り外すことができて、露受容器からの水のこぼれを防止できる。
【００３１】
また、一実施形態の加熱調理器では、
上記露受容器は、左右の両側に貯留部を有し、
この左右両側の貯留部の間に、仕切板を設けている。
【００３２】
この実施形態の加熱調理器によれば、上記露受容器は、左右両側の貯留部の間に、仕切板を設けているので、露受容器が傾いた際、この仕切板により、左右両側の貯留部の間を流れる水の勢いを抑制できる。
【発明の効果】
【００３３】
この発明の加熱調理器によれば、上記露受容器を上記本体ケーシングから取り外すとき、露受容器の底面と本体ケーシングの設置面とは、略同じ高さに位置するので、満水状態の露受容器を、台面をすべらせながら取り外すことができ、露受容器の上下の傾きや落下による衝撃の発生を防止できて、露受容器内からの水のこぼれを防止することができる。
【図面の簡単な説明】
【００３４】
【図１】本発明の第１実施形態の加熱調理器を示す斜視図である。
【図２】加熱調理器の断面図である。
【図３】加熱調理器の側面図である。
【図４Ａ】露受容器の正面図である。
【図４Ｂ】露受容器の上方からみた斜視図である。
【図４Ｃ】露受容器の下方からみた斜視図である。
【図５】右側係止ピンの拡大図である。
【図６】右側係止ピンおよび右側挟み部の拡大図である。
【図７】本発明の第２実施形態の加熱調理器を示す底面図である。
【発明を実施するための形態】
【００３５】
以下、この発明を図示の実施の形態により詳細に説明する。
【００３６】
（第１の実施形態）
図１は、この発明の第１実施形態の加熱調理器を示す斜視図である。図１に示すように、この加熱調理器は、直方体形状の本体ケーシング１と、この本体ケーシング１の前面に取り付けられた扉２とを有する。
【００３７】
この明細書では、「前」とは、加熱調理器の扉側をいい、「後」とは、本体ケーシングの奥側をいう。「右」とは、加熱調理器を扉側から見た正面視の右側をいい、「左」とは、加熱調理器を扉側から見た正面視の左側をいう。
【００３８】
上記扉２は、この下側の辺を略中心にして、回動する。扉２の上部には、ハンドル３が取り付けられ、扉２の略中央には、耐熱ガラス４が取り付けられている。扉２の右側の部分には、操作パネル５が設けられている。この操作パネル５は、表示部の一例としてのカラー液晶表示部６とボタン群７を有している。
【００３９】
上記本体ケーシング１の上側かつ右側後方には、排気ダクト８が設けられている。本体ケーシング１の扉２の下方には、露受容器９が着脱自在に取り付けられている。
【００４０】
図２に示すように、上記本体ケーシング１内には、加熱室１３と蒸気発生装置１２が配置されている。この蒸気発生装置１２は、水タンク１１から供給された水を加熱して飽和水蒸気を生成する。蒸気発生装置１２で生成された飽和水蒸気は、（図示しない）蒸気供給通路を介して、加熱室１３の右側面に取り付けられた循環ユニット１４の蒸気吸込口１５の加熱室１３側に供給される。
【００４１】
上記蒸気供給通路には、蒸気供給管３４が接続され、この蒸気供給管３４は、加熱室１３の右側面と平行になるように、循環ユニット１４の蒸気吸込口１５の近傍に取り付けられている。循環ユニット１４内には、蒸気吸込口１５に対向するように循環ファン１８を配置している。循環ファン１８は、ファンモータ１９によって回転駆動される。
【００４２】
上記本体ケーシング１内には、蒸気ダクト５０が取り付けられている。この蒸気ダクト５０は、上記加熱室１３の上面および左側面を覆うように、Ｌ字状に屈曲している。蒸気ダクト５０は、加熱室１３の上面側に固定された第１ダクト部５１と、第１ダクト部５１の左側方から下側に屈曲する屈曲部５２と、加熱室１３の左側面側に固定され、屈曲部５２を介して第１ダクト部５１に連なる第２ダクト部５３とを有している。
【００４３】
上記第１ダクト部５１に、過熱蒸気生成ヒータ２０が収納されている。第１ダクト部５１と過熱蒸気生成ヒータ２０とは、過熱蒸気生成装置２１を構成している。なお、過熱蒸気生成装置は、蒸気ダクトとは別に設けられてもよい。
【００４４】
上記第１ダクト部５１の右側は、循環ユニット１４の上部に設けられた蒸気供給口２２に連通している。加熱室１３の天面には、複数の第１蒸気吹出口２４が設けられており、第１ダクト部５１は、第１蒸気吹出口２４を介して、加熱室１３内に連通している。第２ダクト部５３は、加熱室１３の左側面に設けられた複数の第２蒸気吹出口２５を介して、加熱室１３内に連通している。
【００４５】
上記加熱室１３と上記蒸気ダクト５０との隙間は、耐熱樹脂などによりシールされている。加熱室１３と蒸気ダクト５０は、加熱室１３の前面開口を除いて、断熱材により覆われている。
【００４６】
上記循環ユニット１４と上記過熱蒸気生成装置２１と上記加熱室１３とそれらを接続する接続部材とは、蒸気の循環経路を構成する。この循環経路における循環ユニット１４の加熱室１３との境界部に、蒸気発生装置１２で生成された飽和水蒸気が供給される。
【００４７】
上記加熱室１３の下部には、（図示しない）マグネトロンが配置されている。このマグネトロンで発生したマイクロ波は、（図示しない）導波管によって、加熱室１３の下部中央に導かれる。そして、このマイクロ波は、モータ３７によって駆動される回転アンテナ３８によって攪拌されながら加熱室１３内の上方に向かって放射されて、被加熱物２７を加熱する。この場合、被加熱物２７は、トレイ３０や網４０を使わずに加熱室１３内の下側または底面近傍に配置する。
【００４８】
上記本体ケーシング１内の下側には、（図示しない）冷却ファン部と、電装部品１７とを配置している。電装部品１７は、加熱調理器の各部を駆動する駆動回路やこの駆動回路を制御する制御回路等を有している。
【００４９】
上記電装部品１７は、過熱蒸気によって加熱調理を行う場合、上記過熱蒸気生成ヒータ２０をオンすると共に、循環ファン１８を回転駆動する。そうすると、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、この吹き出された飽和水蒸気は、過熱蒸気生成ヒータ２０によって加熱されて過熱蒸気となる。この過熱蒸気の一部は、下側の加熱室１３の天面に設けられた複数の第１蒸気吹出口２４から、加熱室１３内に下方に向かって吹き出す。また、過熱蒸気の他の一部は、蒸気ダクト５０を介して加熱室１３の第２蒸気吹出口２５から加熱室１３内に吹き出す。
【００５０】
そして、加熱室１３内に供給された過熱蒸気は、トレイ３０上の網４０に搭載された被加熱物２７を加熱した後、加熱室１３の右壁面に循環ユニット１４の蒸気吸込口１５に対向して形成された吸込口２８から循環ユニット１４内に吸い込まれる。そうして、再び循環経路を通って加熱室１３内に戻るという循環を繰り返す。
【００５１】
一方、上記電装部品１７は、非過熱蒸気によって被加熱物２７を蒸すかまたは暖める運転を行う場合、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱室１３内に流れ込む飽和水蒸気により、被加熱物２７を蒸すかまたは暖める。
【００５２】
図３に示すように、上記露受容器９は、上記加熱室１３の上記開口部の縁の下方に配置される。上記本体ケーシング１の下側には、保持部材１０が設けられ、この保持部材１０は、露受容器９を着脱可能に保持する。つまり、露受容器９を前方に引き抜くことで、露受容器９を保持部材１０から取り外すことができ、一方、露受容器９を後方に押し込むことで、露受容器９を保持部材１０に取り付けることができる。
【００５３】
上記露受容器９は、加熱室１３で発生する結露水を受ける。具体的に述べると、加熱室１３で発生した結露水が、加熱室１３内面や扉２の内面を伝って、落下するが、露受容器９は、この落下する結露水を、受ける。また、加熱室１３の底面には凹部１３ａが設けられ、この凹部１３ａは、加熱料理の際に発生した蒸気が加熱室１３内で結露した水滴を、溜める。そして、露受容器９は、この凹部１３ａから溢れた結露水を、受ける。また、露受容器９は、その他の構成部材で発生した結露水を、受ける。
【００５４】
上記露受容器９の底面９ａと、上記本体ケーシング１の設置面１ａとは、略同じ高さに位置する。つまり、本体ケーシング１の設置面１ａを台面に載置したとき、露受容器９の底面９ａと台面との間の距離を、ほぼ無くすことができる。
【００５５】
これにより、上記露受容器９内に溜まった水を捨てるために、露受容器９を本体ケーシング１から引き抜く際に、露受容器９を、台面をすべらせながら前方へ引き抜くことができて、露受容器９が、上下に傾いたり、あるいは、台面に落下することがない。したがって、露受容器９内が満水になっていても、水がこぼれないように露受容器９を取り外すことができる。
【００５６】
図４Ａと図４Ｂと図４Ｃに示すように、上記露受容器９は、本体ケーシング１および扉２の左右幅とほぼ同一の長さを有する。露受容器９は、本体部９０と、本体部９０の右端の底面に設けられた右脚９１と、本体部９０の左端の底面に設けられた左脚９２と、右脚９１と左脚９２との間の本体部９０の底面に設けられた中間脚９３とを有する。これらの脚９１，９２，９３の底面が、上記露受容器９の底面９ａを構成する。つまり、露受容器９の底面９ａとは、露受容器９の最も低い位置の面をいう。
【００５７】
上記本体部９０の上方は、開口し、本体部９０内に、凹部が設けられている。各脚９１，９２，９３の上方は、開口し、各脚９１，９２，９３内に、凹部が設けられている。本体部９０の凹部と、各脚９１，９２，９３の凹部とは、連通して、結露水を溜める貯留部を構成している。
【００５８】
右脚９１に位置する右側貯留部９５と、左脚９２に位置する左側貯留部９６との間には、複数の仕切板９７が設けられている。この仕切板９７は、前後方向に延在している。この仕切板９７により、露受容器９が傾いた際、右側貯留部９５と左側貯留部９６との間を流れる水の勢いを抑制できる。
【００５９】
上記右脚９１と上記中間脚９３との間の上記本体部９０の底面には、（第１の被保持部としての）右側係止ピン９８が設けられ、上記左脚９２と上記中間脚９３との間の上記本体部９０の底面には、（第２の被保持部としての）左側係止ピン９９が設けられている。
【００６０】
図５に示すように、上記右側係止ピン９８は、（第１側面としての）内側側面９８１と、（第２側面としての）外側側面９８２とを有する。図５の上側が、加熱調理器の「前側」を示し、図５の右側が、加熱調理器の「右側」を示す。
【００６１】
上記内側側面９８１と上記外側側面９８２とは、幅方向の両側に位置している。内側側面９８１は、内側側面９８１と外側側面９８２との間の間隔が、後方向（図５の下方向）へ次第に狭くなるように、テーパ状に形成されている。外側側面９８２は、前後方向（図５の上下方向）に対して、平行となるように形成されている。
【００６２】
なお、図示しないが、上記左側係止ピン９９も、上記右側係止ピン９８と同様の構成であり、内側側面がテーパ状に形成され、外側側面が前後方向に平行となるように形成されている。
【００６３】
図６に示すように、上記保持部材１０は、本体部１００と、この本体部１００から前方に突出する（第１の挟み部としての）右側挟み部１０１とを有する。図６の上側が、加熱調理器の「前側」を示し、図６の右側が、加熱調理器の「右側」を示す。
【００６４】
上記右側挟み部１０１は、一対のアーム部１０１ａ，１０１ｂを有する。一対のアーム部１０１ａ，１０１ｂは、弾性変形可能であり、互いに接近または離隔可能である。右側挟み部１０１は、上記右側係止ピン９８の上記内側、外側側面９８１，９８２を挟み込む。一方のアーム部１０１ａは、内側側面９８１に対向し、他方のアーム部１０１ｂは、外側側面９８２に対向する。
【００６５】
そのため、上記右側係止ピン９８を上記右側挟み部１０１から取り外す場合、露受容器９を前方向（図６の上方向）へ引き抜いていく。すると、右側挟み部１０１は、次第に間隔が狭くなる内側側面９８１および外側側面９８２に摺動しながら、縮小する。つまり、一対のアーム部１０１ａ，１０１ｂは、互いの距離を近づける。これにより、右側係止ピン９８が右側挟み部１０１から外れる瞬間の反動が、低減される。また、右側係止ピン９８を右側挟み部１０１に挿入する際に、スムーズに挿入できる。
【００６６】
したがって、露受容器９を保持部材１０から取り外す瞬間の反動を低減して、この反動による水のこぼれを防止できる。
【００６７】
また、このとき、右側挟み部１０１の他方のアーム部１０１ｂは、前後方向に平行な外側側面９８２に摺動する。したがって、露受容器９を保持部材１０から取り外す際に、露受容器９が左右に振れることがなく真っ直ぐ引き抜かれて、露受容器９からの水のこぼれを防止できる。
【００６８】
一方、上記露受容器９を上記保持部材１０に取り付ける際、右側係止ピン９８ンを、後方向（図６の下方向）へ移動して、右側挟み部１０１に挿入していく。つまり、係止ピンの挿入方向は、後方向に一致する。
【００６９】
なお、図示しないが、上記保持部材１０は、上記左側係止ピン９９を挟み込む（第２の挟み部としての）左側挟み部を有する。左側挟み部は、上記右側挟み部１０１と同様の構成である。
【００７０】
上記右側挟み部１０１と上記左側挟み部とは、前後方向、同一位置にある。上記右側係止ピン９８と上記左側係止ピン９９とは、前後方向、同一位置にある。
【００７１】
そして、上記右側挟み部１０１の上記右側係止ピン９８に対する挟持力と、上記左側挟み部の上記左側係止ピン９９に対する挟持力とを、互いに異なるようにしてもよい。
【００７２】
これによって、上記露受容器９を上記保持部材１０から取り外す際に、露受容器９を一気に引き抜いても、右側係止ピン９８と左側係止ピン９９とが同時に外れることを防止できる。したがって、一気に引き抜いた際に生じる反動を低減して、この反動による水のこぼれを防止できる。
【００７３】
また、上記右側挟み部１０１の上記右側係止ピン９８に対する挟持力を、上記左側挟み部の上記左側係止ピン９９に対する挟持力よりも、大きくしてもよい。これにより、右側の挟持力が、左側の挟持力より大きくなる。そのため、右の力が強く、かつ、数が多い右利きのユーザの場合、露受容器を前後に傾けないで平行に、スムーズに取り外すことができる。
【００７４】
（第２の実施形態）
図７は、この発明の第２実施形態の加熱調理器の係止ピンおよび挟み部を示す底面図である。この第２の実施形態は、上記第１の実施形態とは、係止ピンの位置のみが相違する。この相違する構成のみを以下に説明する。なお、この第２の実施形態において、上記第１の実施形態と同一の符号は、上記第１の実施形態と同じ構成であるため、その説明を省略する。
【００７５】
図７に示すように、右側係止ピン９８と左側係止ピン９９とは、前後方向、異なる位置にある。右側係止ピン９８は、左側係止ピン９９よりも、前方に位置する。図７の上側が、加熱調理器の「前側」を示し、図７の右側が、加熱調理器の「右側」を示す。
【００７６】
右側挟み部１０１と左側挟み部１０２とは、前後方向、同一位置にある。左側挟み部１０２において、一方のアーム部１０１ａは、左側係止ピン９９のテーパ状の内側側面９９１に対向し、他方のアーム部１０１ｂは、左側係止ピン９９の直線状の外側側面９９２に対向する。
【００７７】
そして、上記露受容器９を上記保持部材１０から取り外す際に、露受容器９を一気に引き抜いても、右側係止ピン９８と左側係止ピン９９とは、前後方向にずれているため、右側係止ピン９８と左側係止ピン９９とが同時に外れることを防止できる。したがって、一気に引き抜いた際に生じる反動を低減して、この反動による水のこぼれを防止できる。
【００７８】
また、上記右側係止ピン９８は、上記左側係止ピン９９よりも、前方に位置するので、右側係止ピン９８を左側係止ピン９９よりも先に外すことができる。そのため、右の力が強く、かつ、数が多い右利きのユーザの場合、右側係止ピン９８から確実に引き抜くことができて、露受容器９を一気に引き抜くことを防止できる。
【００７９】
なお、右側貯留部９５（図４Ｂ参照）が、加熱室１３で発生する結露水を排水するための排水口１１０（図２参照）に面するものとする。この排水口１１０は、凹部１３ａ（図３参照）などに溜まった結露水を排水するものとする。そして、このとき、右側係止ピン９８を、左側係止ピン９９よりも、後方に配置してもよい。
【００８０】
これによって、右側貯留部９５側の右側係止ピン９８を左側係止ピン９９よりも後に外すことができ、排水口１１０に面するより多くの結露水が溜まった右側貯留部９５側を後に取り外すことができて、露受容器９からの水のこぼれを防止できる。
【００８１】
なお、この発明は上述の実施形態に限定されない。例えば、上記第１、上記第２の実施形態のそれぞれの特徴点を様々に組み合わせてもよい。また、係止ピンや挟み部の数量の増減は、自由である。
【００８２】
また、上記実施形態では、右側係止ピン９８において、内側側面９８１のみをテーパ状にしたが、外側側面９８２のみをテーパ状にしてもよく、または、内側側面９８１および外側側面９８２の両方をテーパ状にしてもよい。左側係止ピン９９においても同様である。
【００８３】
また、上記実施形態では、露受容器９の被保持部として係止ピンを設け、保持部材１０に挟み部を設けたが、露受容器９の被保持部として挟み部を設け、保持部材１０に係止ピンを設けるようにしてもよい。
【００８４】
また、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【符号の説明】
【００８５】
１  本体ケーシング
１ａ  設置面
２  扉
９  露受容器
９ａ  底面
１０  保持部材
１０１  右側挟み部（第１の挟み部）
１０２  左側挟み部（第２の挟み部）
１２  蒸気発生装置
１３  加熱室
１３ａ  凹部
９５  右側貯留部
９６  左側貯留部
９７  仕切板
９８  右側係止ピン（第１の被保持部）
９８１  内側側面（第１側面）
９８２  外側側面（第２側面）
９９  左側係止ピン（第２の被保持部）
９９１  内側側面（第１側面）
９９２  外側側面（第２側面）
【図１】
2014009856.tif 000003
【図２】
2014009856.tif 000004
【図３】
2014009856.tif 000005
【図４Ａ】
2014009856.tif 000006
【図４Ｂ】
2014009856.tif 000007
【図４Ｃ】
2014009856.tif 000008
【図５】
2014009856.tif 000009
【図６】
2014009856.tif 000010
【図７】
2014009856.tif 000011